(57)【要約】      （修正有）【課題】個別の行動案内をユーザに提供する情報処理装置及びプログラムを提供する。【解決手段】行動案内提供装置は、ユーザが興味を有する情報として予め定められた興味情報及び興味情報以外の非興味情報の中の少なくとも１つの情報をユーザに提供し、情報の提供を受けたユーザの関心度に応じた行動案内の通知を制御する。さらに、ユーザの日程、行動先の場所、行動先の天気及びユーザの移動手段の中の少なくとも１つの要素に更に基づいて、前記ユーザの関心度に応じた行動案内の通知を制御する【選択図】図１
2019109739.tif 000002
【特許請求の範囲】
【請求項１】
ユーザに情報を提供する提供手段と、
前記情報の提供を受けた前記ユーザの関心度に応じた行動案内の通知を制御する制御手段と、
を有する情報処理装置。
【請求項２】
前記提供手段は、前記ユーザが興味を有する情報として予め定められた興味情報、及び、前記興味情報以外の非興味情報の中の少なくとも１つの情報を前記ユーザに提供する、
ことを特徴とする請求項１に記載の情報処理装置。
【請求項３】
前記提供手段は、前記興味情報と前記非興味情報とを切り替えながら前記ユーザに提供する、
ことを特徴とする請求項２に記載の情報処理装置。
【請求項４】
前記制御手段は、前記ユーザの日程、行動先の場所、行動先の天気、及び、前記ユーザの移動手段の中の少なくとも１つの要素に更に基づいて、前記ユーザの関心度に応じた行動案内の通知を制御する、
ことを特徴とする請求項１から請求項３何れかに記載の情報処理装置。
【請求項５】
前記制御手段は、行動案内に従って行動した前記ユーザの関心度に応じて別の行動案内の通知を制御する、
ことを特徴とする請求項１から請求項４何れかに記載の情報処理装置。
【請求項６】
前記提供手段は、複数のユーザに情報を提供し、
前記制御手段は、前記複数のユーザの関心度に応じた行動案内の通知を制御する、
ことを特徴とする請求項１から請求項５何れかに記載の情報処理装置。
【請求項７】
前記制御手段は、前記複数のユーザの関心度に応じて、前記複数のユーザをグループ分けし、グループ毎の行動案内の通知を制御する、
ことを特徴とする請求項６に記載の情報処理装置。
【請求項８】
前記制御手段は、ユーザ毎の関心度に応じて、ユーザ毎の個別の行動案内の通知を制御する、
ことを特徴とする請求項６に記載の情報処理装置。
【請求項９】
各ユーザの行動案内は、前記複数のユーザが集合する予定の地点を含む、
ことを特徴とする請求項８に記載の情報処理装置。
【請求項１０】
前記制御手段は、前記提供手段が提供した情報に応じて、関心度を決定するための判定基準を変える、
ことを特徴とする請求項１から請求項９何れかに記載の情報処理装置。
【請求項１１】
関心度は、前記ユーザの反応に基づいて決定される、
ことを特徴とする請求項１０に記載の情報処理装置。
【請求項１２】
関心度は、前記ユーザの反応と閾値との比較結果に基づいて決定される、
ことを特徴とする請求項１１に記載の情報処理装置。
【請求項１３】
前記制御手段は、前記提供手段が提供する前記情報に応じて前記閾値を変える、
ことを特徴とする請求項１２に記載の情報処理装置。
【請求項１４】
コンピュータを、
ユーザに情報を提供する提供手段、
前記情報の提供を受けた前記ユーザの関心度に応じた行動案内の通知を制御する制御手段、
として機能させるプログラム。
【発明の詳細な説明】
【技術分野】
【０００１】
本発明は、情報処理装置及びプログラムに関する。
【背景技術】
【０００２】
特許文献１には、見学者の個人的背景や興味の程度に適合した案内を仮想空間内で行うための装置が記載されている。
【先行技術文献】
【特許文献】
【０００３】
【特許文献１】特許第２８７４８６５号公報
【発明の概要】
【発明が解決しようとする課題】
【０００４】
本発明の目的は、個別の行動案内をユーザに提供することにある。
【課題を解決するための手段】
【０００５】
請求項１に記載の発明は、ユーザに情報を提供する提供手段と、前記情報の提供を受けた前記ユーザの関心度に応じた行動案内の通知を制御する制御手段と、を有する情報処理装置である。
【０００６】
請求項２に記載の発明は、前記提供手段は、前記ユーザが興味を有する情報として予め定められた興味情報、及び、前記興味情報以外の非興味情報の中の少なくとも１つの情報を前記ユーザに提供する、ことを特徴とする請求項１に記載の情報処理装置である。
【０００７】
請求項３に記載の発明は、前記提供手段は、前記興味情報と前記非興味情報とを切り替えながら前記ユーザに提供する、ことを特徴とする請求項２に記載の情報処理装置である。
【０００８】
請求項４に記載の発明は、前記制御手段は、前記ユーザの日程、行動先の場所、行動先の天気、及び、前記ユーザの移動手段の中の少なくとも１つの要素に更に基づいて、前記ユーザの関心度に応じた行動案内の通知を制御する、ことを特徴とする請求項１から請求項３何れかに記載の情報処理装置である。
【０００９】
請求項５に記載の発明は、前記制御手段は、行動案内に従って行動した前記ユーザの関心度に応じて別の行動案内の通知を制御する、ことを特徴とする請求項１から請求項４何れかに記載の情報処理装置である。
【００１０】
請求項６に記載の発明は、前記提供手段は、複数のユーザに情報を提供し、前記制御手段は、前記複数のユーザの関心度に応じた行動案内の通知を制御する、ことを特徴とする請求項１から請求項５何れかに記載の情報処理装置である。
【００１１】
請求項７に記載の発明は、前記制御手段は、前記複数のユーザの関心度に応じて、前記複数のユーザをグループ分けし、グループ毎の行動案内の通知を制御する、ことを特徴とする請求項６に記載の情報処理装置である。
【００１２】
請求項８に記載の発明は、前記制御手段は、ユーザ毎の関心度に応じて、ユーザ毎の個別の行動案内の通知を制御する、ことを特徴とする請求項６に記載の情報処理装置である。
【００１３】
請求項９に記載の発明は、各ユーザの行動案内は、前記複数のユーザが集合する予定の地点を含む、ことを特徴とする請求項８に記載の情報処理装置である。
【００１４】
請求項１０に記載の発明は、前記制御手段は、前記提供手段が提供した情報に応じて、関心度を決定するための判定基準を変える、ことを特徴とする請求項１から請求項９何れかに記載の情報処理装置である。
【００１５】
請求項１１に記載の発明は、関心度は、前記ユーザの反応に基づいて決定される、ことを特徴とする請求項１０に記載の情報処理装置である。
【００１６】
請求項１２に記載の発明は、関心度は、前記ユーザの反応と閾値との比較結果に基づいて決定される、ことを特徴とする請求項１１に記載の情報処理装置である。
【００１７】
請求項１３に記載の発明は、前記制御手段は、前記提供手段が提供する前記情報に応じて前記閾値を変える、ことを特徴とする請求項１２に記載の情報処理装置である。
【００１８】
請求項１４に記載の発明は、コンピュータを、ユーザに情報を提供する提供手段、前記情報の提供を受けた前記ユーザの関心度に応じた行動案内の通知を制御する制御手段、として機能させるプログラムである。
【発明の効果】
【００１９】
請求項１，１４に記載の発明によれば、個別の行動案内がユーザに提供される。
【００２０】
請求項２，３に記載の発明によれば、興味情報や非興味情報の提供を受けたユーザの関心度に応じた行動案内が、ユーザに提供される。
【００２１】
請求項４に記載の発明によれば、日程や場所や天候や移動手段に更に基づいて決定された行動案内が、ユーザに提供される。
【００２２】
請求項５に記載の発明によれば、実際の行動に応じて別の行動案内が提供される。
【００２３】
請求項６に記載の発明によれば、複数のユーザに対する行動案内が提供される。
【００２４】
請求項７に記載の発明によれば、グループ毎の行動案内が提供される。
【００２５】
請求項８に記載の発明によれば、複数のユーザに含まれる各ユーザの個別の行動案内が提供される。
【００２６】
請求項９に記載の発明によれば、ユーザ毎の個別の行動案内が提供されると共に、集合予定地点が提供される。
【００２７】
請求項１０に記載の発明によれば、ユーザに提供される情報に応じた判断基準に従って関心度が決定される。
【００２８】
請求項１１，１２に記載の発明によれば、ユーザの反応に基づいて決定された行動案内が提供される。
【００２９】
請求項１３に記載の発明によれば、ユーザに提供される情報に応じた閾値に従って関心度が決定される。
【図面の簡単な説明】
【００３０】
【図１】本発明の実施形態に係る行動案内提供装置の構成を示すブロック図である。
【図２】メニュー画面を示す図である。
【図３】メニュー画面を示す図である。
【図４】メニュー画面を示す図である。
【図５】参考画像を示す図である。
【図６】参考画像を示す図である。
【図７】参考画像を示す図である。
【図８】参考画像を示す図である。
【図９】参考画像を示す図である。
【図１０】行動案内画像を示す図である。
【図１１】行動案内画像を示す図である。
【発明を実施するための形態】
【００３１】
以下、本実施形態に係る情報処理装置の一例としての行動案内提供装置について説明する。図１には、本実施形態に係る行動案内提供装置の一例が示されている。
【００３２】
行動案内提供装置１０は、ユーザに情報を提供し、その情報の提供を受けたユーザの関心度に応じた行動案内を通知する装置である。
【００３３】
行動案内提供装置１０は、ユーザに情報を提供し、ユーザの関心度を測定して、その関心度に応じた行動案内を通知する機能を有していれば、どのような形態を有する装置であってもよい。例えば、行動案内提供装置１０は、パーソナルコンピュータ（ＰＣ）、タブレットＰＣ、スマートフォン、携帯電話、等の装置であってもよいし、情報をユーザに提供する機構や関心度を測定する機構が、ユーザを取り囲むように配置されたシステムであってもよいし、ブース（例えば、間切りをした場所や部屋等）に設置されたシステムであってもよいし、ウェアラブル端末であってもよい。ウェアラブル端末として、例えば、腕時計型端末、リストバンド型端末、眼鏡型端末、指輪型端末、コンタクトレンズ型端末、体内埋め込み型端末、ヒアラブル端末等が用いられる。これら以外のウェアラブル端末が用いられてもよい。また、行動案内提供装置１０は、表示装置としてヘッドマウントディスプレイや、フレキシブルディスプレイを有していてもよい。フレキシブルディスプレイとして、例えば、有機エレクトロルミネッセンス型のディスプレイ（フレキシブル有機ＥＬディスプレイ）、電子ペーパー型のディスプレイ、フレキシブル液晶ディスプレイ、等が用いられる。これら以外の表示方式が採用されたフレキシブルディスプレイが用いられてもよい。フレキシブルディスプレイは、表示部分が柔軟に変形可能なディスプレイであり、例えば、曲げたり、折り畳んだり、巻いたり、捩ったり、伸ばしたりすることが可能なディスプレイである。行動案内提供装置１０全体がフレキシブルディスプレイによって構成されていてもよいし、フレキシブルディスプレイとそれ以外の構成とが機能的又は物理的に分かれていてもよい。
【００３４】
以下、図１を参照して、行動案内提供装置１０の構成について詳しく説明する。
【００３５】
通信部１２は通信インターフェースであり、他の装置にデータを送信する機能、及び、他の装置からデータを受信する機能を有する。通信部１２は、無線通信機能を有する通信インターフェースであってもよいし、有線通信機能を有する通信インターフェースであってもよい。通信部１２は、１又は複数の通信規格（方式）に対応している。通信部１２は、通信相手に適した通信規格（つまり、通信相手が対応している通信規格）に従って通信相手と通信してもよい。通信規格（方式）は、例えば、赤外線通信、可視光通信、Ｗｉ−Ｆｉ（登録商標）通信、近接無線通信（例えばＮＦＣ（Near Field Communication）等）、等である。近接無線通信としては、Ｆｅｌｉｃａ（登録商標）、Ｂｌｕｅｔｏｏｔｈ（ブルートゥース）（登録商標）、ＲＦＩＤ（Radio Frequency Identifier）等が用いられる。もちろん、別の方式の無線規格が近接無線通信として用いられてもよい。通信部１２は、通信相手に応じて通信規格や周波数帯域を切り替えてもよいし、周囲の環境に応じて通信規格や周波数帯域を切り替えてもよい。
【００３６】
ＵＩ部１４はユーザインターフェース部であり、表示部と操作部を含む。表示部は、例えば液晶ディスプレイ等の表示装置である。表示部は、ヘッドマウントディスプレイやフレキシブルディスプレイであってもよい。操作部は、例えばタッチパネルやキーボード等の入力装置である。表示部と操作部を兼ねたユーザインターフェース（例えば、タッチ式のディスプレイや、ディスプレイ上に電子的にキーボード等を表示する装置等を含む）であってもよい。また、ＵＩ部１４は、マイク等の集音部やスピーカ等の音声発生部を含んでいてもよい。この場合、音声によって情報が行動案内提供装置１０に入力されてもよいし、情報が音声として発せられてもよい。
【００３７】
記憶部１６はハードディスクやメモリ（例えばＳＳＤ等）等の記憶装置である。記憶部１６には、例えば、参考情報、各種のデータ、各種のプログラム（例えば、ＯＳ（Operating System）、各種のアプリケーションプログラム（アプリケーションソフトウェア）等）等が記憶されている。もちろん、それらは別々の記憶装置に記憶されてもよいし、１つの記憶装置に記憶されてもよい。
【００３８】
参考情報は、ユーザの関心度を測定するためにユーザに提供される情報である。参考情報は、例えば、画像、文字列、音、香り（匂い）、環境（気温、湿度、風量、風向き、日当たりの向きや強さ等）等に関する情報である。
【００３９】
提供部１８は、参考情報をユーザに提供する機能を有する。参考情報が画像データである場合、提供部１８は、その画像をＵＩ部１４の表示部に表示させる。画像は、静止画像であってもよいし、動画像であってもよいし、実際に撮影された画像（現実の物体等を表す画像）であってもよいし、ＶＲ（Virtual Reality）画像であってもよいし、ＡＲ（Augmented Reality）画像であってもよい。参考情報が文字列である場合、提供部１８は、その文字列を表示部に表示させたり、その文字列を音声情報として出力したりする。参考情報が香り情報である場合、提供部１８は、その香り情報が示す香りを香り発生装置に発生させる。なお、香り発生装置は、行動案内提供装置に含まれていてもよいし、行動案内提供装置１０以外の外部装置として用いられてもよい。参考情報が環境情報である場合、提供部１８は、その環境情報が示す環境が実現されるように各機器を制御する。例えば、提供部１８は、環境情報が示す気温、湿度、風量、風向き等が実現されるように、空調機を制御する。また、提供部１８は、環境情報が示す日当りの強さや向きが実現されるように、照明装置を制御する。なお、空調機や照明装置は、行動案内提供装置に含まれていてもよいし、行動案内提供装置１０以外の外部装置として用いられてもよい。例えば、行動案内提供装置１０がブースによって構築される場合、提供部１８は、そのブースに設置されている香り発生装置や空調機や照明装置を制御することで、香りや環境を実現してもよい。なお、参考情報は、サーバ等の外部装置に記憶されていてもよい。この場合、提供部１８は、インターネット等の通信経路を用いて、当該外部装置から参考情報を取得してユーザに提供する。外部装置に参考情報が記憶されている場合、参考情報は記憶部１６に記憶されていなくてもよい。
【００４０】
検知部２０は、ユーザの身体情報を検知し、その検知結果に基づいて、ユーザの関心度を測定（演算）する機能を有する。身体情報は、例えば、ユーザの表情、目線、心拍数、血圧、体温、音声、身体の動き、等である。検知部２０は、１つの身体情報（例えば表情のみ等）に基づいて関心度を測定してもよいし、複数の身体情報の組み合わせに基づいて関心度を測定してもよい。検知部２０は、例えば、カメラ、マイク、脈拍計測装置、血圧計、体温計等の装置を用いて、身体情報を検知する。もちろん、これら以外の装置を用いて身体情報が検知されてもよい。それらの装置は、行動案内提供装置１０に含まれていてもよいし、行動案内提供装置１０以外の外部装置であってもよい。提供部１８が参考情報をユーザに提供し、検知部２０が、そのときのユーザの身体情報を検知して関心度を測定する。こうすることで、ユーザが関心を有していると推測される参考情報が特定される。
【００４１】
行動案内作成部２２は、ユーザの関心度に基づいて行動案内を作成する機能を有する。例えば、行動案内作成部２２は、ユーザが関心を有していると推測される参考情報に基づいて行動案内を作成する。具体的には、行動案内作成部２２は、関心度が予め定められた閾値以上となった参考情報や、他の参考情報よりも関心度が高い参考情報に基づいて、行動案内を作成する。行動案内は、ユーザが関心を有していると推測される行動の案内や、ユーザが実行すべき行動の案内である。行動案内は、例えば、旅行案内（観光案内）、不動産案内、建築現場の案内、医療に関する案内、インターネット広告に関する案内、等である。もちろん、行動案内は、これら以外の行動の案内であってもよい。
【００４２】
制御部２４は、行動案内提供装置１０の各部の動作を制御する機能を有する。例えば、制御部２４は、各種のプログラムの実行、通信部１２による通信の制御、ＵＩ部１４を用いた情報の通知（例えば情報の表示や音声出力等）の制御、ＵＩ部１４を用いて入力された情報の受け付け、等を行う。また、制御部２４は、行動案内を示す情報（以下、「行動案内情報」と称する）を、ＵＩ部１４を用いてユーザに通知する。制御部２４は、行動案内情報をＵＩ部１４の表示部に表示させてもよいし、行動案内情報を音声情報として出力してもよい。行動案内情報は、プリンタによって印刷されてもよいし、記録媒体に記録されてもよい。
【００４３】
以下、行動案内提供装置１０について更に詳しく説明する。以下の説明では、行動案内の一例として、旅行案内（観光案内）を例に挙げて説明する。行動案内提供装置１０は、例えば、旅行代理店にＰＣ等として設置されていてもよいし、店舗に設けられたブースに設置されていてもよいし、ユーザが所持するＰＣ等であってもよいし、駅、空港、旅行案内所、旅館、ホテル等に設置されていてもよい。
【００４４】
まず、制御部２４は、利用開始時にメニュー画面をＵＩ部１４の表示部に表示させる。図２には、そのメニュー画面の一例が示されている。メニュー画面２６には、一例として、地名（地図）項目、分類（ジャンル、カテゴリ）項目、等の項目が表示されている。
【００４５】
地名項目は、ユーザが、地名によって旅行先を指定するための項目である。地名項目は、ユーザが、地図上で旅行先を指定するための項目であってもよい。ユーザが地名を指定することで、ユーザが興味を有している大まかな旅行先が指定される。地名は、国名や地方名（例えば都道府県名、州名、市名、町名、村名等）等である。
【００４６】
分類項目は、ユーザが、分類によって旅行先を指定するための項目である。例えば、名所、世界遺産、遺跡、食、海、山、宗教的な場所、等の分類が予め定められている。ユーザが分類を指定することで、ユーザが興味を有している分類が指定される。
【００４７】
例えば、ユーザが、ＵＩ部１４を用いて、地名項目を指定した場合、制御部２４は、図３に示すように、地名メニュー画面２８を表示部に表示させる。地名メニュー画面２８には、世界の各地方の名称が表示されており、地名メニュー画面２８上で、ユーザは、世界の地方の中から大まかな旅行先を指定することができる。地名メニュー画面２８上で地方の名称がユーザによって指定された場合、制御部２４は、その地方に含まれる各国の名称を表示部に表示させる。例えば、アジアがユーザによって指定された場合、制御部２４は、アジア地方に含まれる各国の名称を表示部に表示させる。
【００４８】
国名がユーザによって指定された場合、制御部２４は、図４に示すように、その国の各地方を示す地名メニュー画面３０を表示部に表示させる。ここでは、日本がユーザによって指定されており、地名メニュー画面３０には、日本の各地方の名称が表示されている。地名メニュー画面３０上で、ユーザは、日本の中から大まかな旅行先を指定することができる。
【００４９】
以降、提供部１８による参考情報の提供が開示される。例えば、京都がユーザによって指定された場合、京都が大まかな旅行先に指定され、提供部１８は、京都に関する参考情報をユーザに提供する。
【００５０】
もちろん、国や地方がユーザに指定されていない段階で、参考情報の提供が開始されてもよい。例えば、図３に示されている地名メニュー画面２８が表示部に表示されている段階で、ユーザが、参考情報の提供開始の指示を与えた場合（例えば、ユーザが提供開始ボタンを押した場合や、音声で指示を与えた場合）、提供部１８は、参考情報の提供を開始してもよい。この場合、提供部１８は、各国に関する参考情報をユーザに提供する。また、図３に示されている地名メニュー画面２８にて、地方（例えばアジア地方）がユーザによって指定されて、参考情報の提供開始の指示が与えられた場合、提供部１８は、参考情報の提供を開始してもよい。この場合、提供部１８は、ユーザによって指定された地方（例えばアジア地方）に関する参考情報をユーザに提供する。また、国名（例えば日本）がユーザによって指定されて、参考情報の提供開始の指示が与えられた場合、提供部１８は、ユーザによって指定された国（例えば日本）に関する参考情報の提供を開始してもよい。
【００５１】
なお、制御部２４は、世界地図を表示部に表示させ、ユーザは、その世界地図上で大まかな旅行先（例えば国や地方等）を指定してもよい。
【００５２】
大まかな旅行先が指定された場合、提供部１８は、その旅行先に関する参考情報をユーザに提供する。
【００５３】
以下では、ユーザによって「日本」が旅行先として指定されているものとする。この場合、提供部１８は、日本に関する参考情報をユーザに提供する。例えば、提供部１８は、日本の各地方の観光名所やイベントや施設等を表す画像、各地方の説明を示す文章、各地方に関連する音楽（例えば民謡等）、各地方の印象を有する香り、各地方の環境を、参考情報としてユーザに提供する。提供部１８は、各地方の代表的な観光名所やイベントや施設等に関する参考情報をユーザに提供してもよい。また、参考情報は、季節、気候、混雑等の実際の状況が反映された情報であってもよい。
【００５４】
提供部１８は、参考情報をランダムにユーザに提供してもよいし、検知部２０によって測定されたユーザの関心度に応じて参考情報を変えながらユーザに提供してもよい。例えば、特定の地方（例えば関東地方）に関する参考情報に対する関心度が、他の地方に関する参考情報に対する関心度よりも高い場合、提供部１８は、その特定の地方（例えば関東地方）に関するより詳細な参考情報をユーザに提供する。具体的には、提供部１８は、その特定の地方に含まれる都道府県に関する詳細な参考情報（例えば、東京都や神奈川県等に関する詳細な参考情報）をユーザに提供する。更に、特定の都道府県（例えば東京都）に関する参考情報に対する関心度が、他の都道府県に関する参考情報に対する関心度よりも高い場合、提供部１８は、その特定の都道府県（例えば東京都）に関するより詳細な参考情報をユーザに提供する。具体的には、提供部１８は、その特定の都道府県（例えば東京都）における観光名所やイベントや施設等に関する詳細な参考情報をユーザに提供する。このように、提供部１８は、関心度に応じて参考情報を絞り込んでユーザに提供してもよい。この処理は、世界の各国の中から特定の国を旅行先として絞りこむときにも同様に実行される。例えば、提供部１８は、世界の各国に関する参考情報をユーザに提供する。特定の地方（例えばヨーロッパ地方）に関する参考情報に対する関心度が、他の地方に関する参考情報に対する関心度よりも高い場合、提供部１８は、その特定の地方（例えばヨーロッパ地方）に関するより詳細な参考情報をユーザに提供する。具体的には、提供部１８は、その特定の地方に含まれる各国に関する詳細な参考情報（例えば、イギリス、フランス、イタリア、ドイツ等に関する詳細な参考情報）をユーザに提供する。更に、特定の国（例えばフランス）に関する参考情報に対する関心度が、他の国に関する参考情報に対する関心度よりも高い場合、提供部１８は、その特定の国（例えばフランス）に関するより詳細な参考情報をユーザに提供する。具体的には、提供部１８は、その国（例えばフランス）における観光名所やイベントや施設等に関する詳細な参考情報をユーザに提供する。
【００５５】
図５から図９には、参考情報の一例としての参考画像が示されている。
【００５６】
図５に示されている参考画像３２は、日本のある地方の観光地を表す画像である。参考画像３２には、例えば、店舗３４，３６の画像や人の画像３８等が表されている。参考画像３２は、観光地を撮影することで生成された実際の観光地を表す画像であってもよいし、ＶＲ画像であってもよい。また、参考画像３２は、静止画像であってもよいし、動画像であってもよいし、２次元画像であってもよいし、３次元画像であってもよいし、空間上に形成される立体画像であってもよい。また、参考画像３２は、ユーザの周囲を囲むように配置された表示部に表示されてもよい。つまり、参考画像３２は、３６０度又はそれに近い角度範囲にわたって表示される画像であってもよい。
【００５７】
また、ユーザが旅行する日程や季節が決まっている場合、参考画像３２は、その日程や季節を反映した画像であってもよい。日程や季節は、例えば、ＵＩ部１４を介してユーザによって入力される。例えば、季節が春や夏であれば、木々の葉の色が緑色であり、季節が秋であれば、木々の葉の色が赤や黄色（紅葉）であり、季節が冬であれば、木々の葉が落ちた様子が表示される。また、参考画像３２は、その日程や季節に応じた混雑状況を反映した画像であってもよい。例えば、その日程や季節が大型連休に含まれる場合、参考画像３２は、その大型連休中の混雑（例えば人が多い様子）を反映した画像であってもよい。また、その日程や季節が、旅行先の閑散期に含まれる場合、参考画像３２は、その様子（例えば人が少ない様子）を反映した画像であってもよい。また、参考画像３２は、店舗３４，３６の実際の混雑（例えば、人が並んでいる様子）を表す画像であってもよい。また、参考画像３２は、その日程や季節の天候が反映されてもよい。例えば、その季節が雨の多い季節である場合、参考画像３２は、雨が降っているときの画像である。その季節が晴れの多い季節であれば、参考画像３２は、晴れている様子を表す画像である。
【００５８】
また、提供部１８は、参考画像３２と共に、他の参考情報をユーザに提供してもよい。例えば、提供部１８は、参考画像３２に表されている観光地における音（例えば、実際の音や、その観光地に関連した音（例えばイベント等の音））をスピーカから出力してもよいし、その観光地に関連した香り（例えば、その観光地に関連した花や草木の香り等）を香り発生装置から発生させてもよいし、その観光地の気温や湿度を空調機によって再現してもよいし、日当りを照明装置によって再現してもよい。例えば、ユーザが旅行に行く日程や季節における音、気温、湿度、日当り等が再現されてもよい。
【００５９】
なお、店舗に関する情報（例えば食事のメニューやお土産情報等）が表示されてもよい。また、ユーザが、ＵＩ部１４を用いて参考画像３２を操作することで、その操作に応じて目線が異なる参考画像が表示されてもよいし、その操作に応じた移動先の参考画像が表示されてもよい。
【００６０】
上記のように、実際の状況が反映された参考画像３２をユーザに提供することで、実際にその場所に訪れた気分をユーザに与えることができる。図６から図９に示されている各参考画像についても同様である。
【００６１】
図６に示されている参考画像４０は、日本の山４２（例えば富士山）を表す画像である。参考画像３２と同様に、参考画像４０は、ユーザが旅行する日程や季節が反映された画像であってもよい。例えば、季節が冬であれば、参考画像４０は、山４２に雪が積もった状態を表す画像であり、季節が夏であれば、参考画像４０は、山４２に雪が無い状態を表す画像である。
【００６２】
図７に示されている参考画像４４は、ある地方の観光名所としての建物４６を表す画像である。また、図８に示されている参考画像４８は、ある地方の観光名所としての竹林５０を表す画像である。また、図９に表されている参考画像５２は、ある地方の遊園地に設置されているジェットコースター５４を表す画像である。参考画像３２と同様に、参考画像４４，４８，５２においても、混雑や天候等が反映されてもよい。図５から図９に示されている参考画像は一例に過ぎず、これら以外の参考画像が提供されてもよい。例えば、駅前の風景を表す画像や、お寺や神社等の観光地を表す画像等が、参考画像として表示されてもよい。
【００６３】
各参考画像には、その参考画像に表されている場所やイベントや場面に関する付帯情報が紐付けられている。付帯情報は、例えば、場所やイベントや場面の名称、位置情報、観光名所に関する情報、等を含む。
【００６４】
提供部１８は、予め定められた順番、管理者（例えば旅行代理店の店員等）によって決定された順番、又は、ランダムの順番に従って、各参考画像及びその他の参考情報をユーザに提供する。
【００６５】
検知部２０は、各参考情報が提供されたユーザの身体情報を検知し、１又は複数の身体情報に基づいて、ユーザの関心度を測定（演算）する。つまり、検知部２０は、各参考情報が提供されたときのユーザの反応を検知し、その反応に基づいて関心度を演算する。関心度は、例えば、身体情報（反応）に応じて数値で表される。
【００６６】
例えば、ユーザの表情として、にこやかな表情、笑っている表情、穏やかな表情等のように、関心度が高いときに出現すると推測される表情が検知された場合、その表情が検知されたときに提供されている参考画像やその他の参考情報に対して、ユーザが高い関心を有していると推測される。検知部２０は、そのような参考画像に表されている場所に対して、高い関心度を紐付ける。一方、ユーザの表情として、無関心な表情、けげんそうな表情等のように、関心度が低いときに出現すると推測される表情が検知された場合、その表情が検知されたときに提供されている参考画像やその他の参考情報に対して、ユーザが関心を有していない、又は、ユーザの関心度が低いと推測される。検知部２０は、そのような参考画像に表されている場所に対して、低い関心度を紐付ける。
【００６７】
検知部２０は、ユーザの表情に応じて、段階的な関心度を場所に紐付けてもよい。例えば、より関心度が高いと推測される表情が検知された場合、検知部２０は、その表情が検知されたときに提供されていた参考画像に表されている場所に対して、より高い関心度を紐付けてもよい。
【００６８】
また、検知部２０は、ユーザの目線に基づいて関心度を演算してもよい。例えば、ユーザの目線が参考画像に向けられている場合（例えば、ユーザが参考画像を凝視している場合等）、その参考画像やその他の参考情報に対して、ユーザが高い関心を有していると推測される。検知部２０は、そのような参考画像が表されている場所に対して、高い関心度を紐付ける。一方、ユーザの目線が参考画像から外れている場合、その参考画像やその他の参考情報に対して、ユーザが関心を有していないと推測される。検知部２０は、そのような参考画像に表されている場所に対して、低い関心度を紐付ける。
【００６９】
また、検知部２０は、ユーザの心拍数に基づいて関心度を演算してもよい。例えば、ユーザの心拍数が高いほど、その心拍数が検知されたときに提供されている参考画像やその他の参考情報に対して、ユーザが高い関心を有していると推測される。検知部２０は、そのような参考画像に表されている場所に対して、高い関心度を紐付ける。例えば、ユーザの心拍数が予め定められた閾値以上となった場合、検知部２０は、その場所に対して高い関心度を紐付ける。一方、ユーザの心拍数が低いほど、その心拍数が検知されたときに提供されている参考画像やその他の参考情報に対して、ユーザが関心を有していない、又は、ユーザの関心度が低いと推測される。検知部２０は、そのような参考画像に表されている場所に対して、低い関心度を紐付ける。例えば、ユーザの心拍数が閾値未満となった場合、検知部２０は、その場所に対して低い関心度を紐付ける。
【００７０】
検知部２０は、ユーザの心拍数に応じて、段階的な関心度を場所に紐付けてもよい。例えば、検知部２０は、より高い心拍数が検知された場所に対してより高い関心度を紐付けてもよい。
【００７１】
心拍数に関しては、提供される参考情報に応じて、関心度の判定基準が変更されてもよい。つまり、ユーザに提供される場所やイベントや場面毎に、心拍数の状態が異なる場合があるため、検知部２０は、その場所やイベントや場面に応じて判定基準を変えて関心度を決定してもよい。例えば、図８に示されている参考画像４８は、竹林５０を表す画像であるため、一般的には、この参考画像４８を見たユーザは、落ち着いた気持ちを有することになると推測される。また、竹林５０の音、気温、湿度、風等が再現された場合には、ユーザの気持ちは、更に落ち着いた気持ちになると推測される。従って、参考画像４８が提供されたユーザの心拍数は、通常、低くなると推測される。一方、図９に示されている参考画像５２は、ジェットコースター５４を表す画像であるため、一般的には、この参考画像５２を見たユーザは、興奮した気持ちを有することになると推測される。従って、参考画像５２が提供されたユーザの心拍数は、通常、高くなると推測される。
【００７２】
上記のように、場所やイベントや場面によって、ユーザに与える影響が異なる場合がある。例えば、竹林等の場所は、ユーザの心拍数が低いほど、ユーザが高い関心を有していると推測され、ジェットコースター等の場所は、ユーザの心拍数が高いほど、ユーザが高い関心を有していると推測される。そこで、検知部２０は、場所やイベントや場面毎に判定基準を変える。例えば、静かな場所を表す参考画像（例えば参考画像４８）がユーザに提供されたときに、ユーザの心拍数が閾値未満となった場合、検知部２０は、その場所に高い関心度を紐付ける。静かな場所を表す参考画像がユーザに提供されたときに、ユーザの心拍数が閾値以上となった場合、検知部２０は、その場所に低い関心度を紐付ける。一方、ユーザが興奮すると推測される場所を表す参考画像がユーザに提供されたときに、ユーザの心拍数が閾値以上となった場合、検知部２０は、その場所に高い関心度を紐付ける。ユーザが興奮すると推測される場所を表す参考画像がユーザに提供されたときに、ユーザの心拍数が閾値未満となった場合、検知部２０は、その場所に低い関心度を紐付ける。こうすることで、場所やイベントや場面に応じた適切な関心度を演算することができる。
【００７３】
また、静かな場所やイベントや場面用の第１閾値と、興奮用の第２閾値（第１閾値よりも高い値）とが用いられてもよい。例えば、静かな場所を表す参考画像がユーザに提供されたときに、ユーザの心拍数が第１閾値未満となった場合、検知部２０は、その場所に高い関心度を紐付ける。ユーザの心拍数が第１閾値以上となった場合、検知部２０は、その場所に低い関心度を紐付ける。一方、ユーザが興奮すると想定される場所を表す画像がユーザに提供されたときに、ユーザの心拍数が第２閾値以上となった場合、検知部２０は、その場所に高い関心度を紐付ける。ユーザの心拍数が第２閾値未満となった場合、検知部２０は、その場所に低い関心度を紐付ける。
【００７４】
また、検知部２０は、ユーザの血圧に基づいて関心度を測定（演算）してもよい。例えば、ユーザの血圧が高いほど、その血圧が検知されたときに提供されている参考画像やその他の参考情報に対して、ユーザが高い関心を有していると推測される。検知部２０は、そのような参考画像に表されている場所に対して、高い関心度を紐付ける。例えば、ユーザの血圧が予め定められた閾値以上となった場合、検知部２０は、その場所に対して高い関心度を紐付ける。一方、ユーザの血圧が低いほど、その血圧が検知されたときに提供されている参考画像やその他の参考情報に対して、ユーザが関心を有していない、又は、ユーザの関心度が低いと推測される。検知部２０は、そのような参考画像に表されている場所に対して、低い関心度を紐付ける。例えば、ユーザの血圧が閾値未満となった場合、検知部２０は、その場所に対して低い関心度を紐付ける。
【００７５】
検知部２０は、ユーザの血圧に応じて、段階的な関心度を場所に紐付けてもよい。例えば、検知部２０は、より高い血圧が検知された場所に対してより高い関心度を紐付ける。
【００７６】
血圧についても、心拍数と同様に、提供される参考情報に応じて、関心度の判断基準が変更されてもよい。つまり、ユーザに提供される場所やイベントや場面毎に、血圧の状態が異なる場合があるため、検知部２０は、その場所やイベントや場面に応じて判断基準を変えて関心度を測定（演算）してもよい。例えば、竹林５０を表す参考画像４８を見たユーザの心拍数は、通常、低くなると推測される。一方、ジェットコースター５４を表す参考画像５２を見たユーザの心拍数は、通常、高くなると推測される。
【００７７】
上記のように、場所やイベントや場面によって、ユーザに与える影響が異なる場合がある。例えば、竹林等の場所は、ユーザの血圧が低いほど、ユーザが高い関心を有していると推測され、ジェットコースター等の場所は、ユーザの血圧が高いほど、ユーザが高い関心を有していると推測される。そこで、検知部２０は、場所やイベントや場面毎に判定基準を変える。例えば、静かな場所を表す参考画像（例えば参考画像４８）がユーザに提供されたときに、ユーザの血圧が閾値未満となった場合、検知部２０は、その場所に高い関心度を紐付ける。静かな場所を表す参考画像がユーザに提供されたときに、ユーザの血圧が閾値以上となった場合、検知部２０は、その場所に低い関心度を紐付ける。一方、ユーザが興奮すると推測される場所を表す参考画像がユーザに提供されたときに、ユーザの血圧が閾値以上となった場合、検知部２０は、その場所に高い関心度を紐付ける。ユーザが興奮すると推測される場所を表す参考画像がユーザに提供されたときに、ユーザの血圧が閾値未満となった場合、検知部２０は、その場所に低い関心度を紐付ける。こうすることで、場所やイベントや場面に応じた適切な関心度を演算することができる。
【００７８】
また、静かな場所やイベントや場面用の第１閾値と、興奮用の第２閾値（第１閾値よりも高い値）とが用いられてもよい。例えば、静かな場所を表す参考画像がユーザに提供されたときに、ユーザの血圧が第１閾値未満となった場合、検知部２０は、その場所に高い関心度を紐付ける。ユーザの血圧が第１閾値以上となった場合、検知部２０は、その場所に低い関心度を紐付ける。一方、ユーザが興奮すると想定される場所を表す画像がユーザに提供されたときに、ユーザの血圧が第２閾値以上となった場合、検知部２０は、その場所に高い関心度を紐付ける。ユーザの血圧が第２閾値未満となった場合、検知部２０は、その場所に低い関心度を紐付ける。
【００７９】
また、検知部２０は、ユーザの音声に基づいて関心度を演算してもよい。例えば、ユーザの音声として、笑い声、喜びを表す声等のように、関心度が高いときに出現すると推測される音声が検知された場合、その音声が検知されたときに提供されている参考画像やその他の参考情報に対して、ユーザが高い関心を有している推測される。検知部２０は、そのような参考画像が表されている場所に対して、高い関心度を紐付ける。また、ユーザが、「良い」等のように、その場所を気に入った内容の発言を行った場合、検知部２０は、その発言が検知されたときに提供されていた参考画像に表されている場所に対して、高い関心度を紐付けてもよい。一方、ユーザの音声として、溜息等のように、関心度が低いときに出現すると推測される音声が検知された場合、その音声が検知されたときに提供されている参考画像やその他の参考情報に対して、ユーザが関心を有していない、又は、ユーザの関心度が低いと推測される。検知部２０は、そのような参考画像に表されている場所に対して、低い関心度を紐付ける。また、ユーザが、「いまいち」等のように、その場所を気に入らなかった内容の発言を行った場合、検知部２０は、その発言が検知されたときに提供されていた参考画像に表されている場所に対して、低い関心度を紐付けてもよい。
【００８０】
検知部２０は、ユーザの音声に応じて、段階的な関心度を場所に紐付けてもよい。例えば、より関心度が高いと推測される音声が検知された場合、検知部２０は、その音声が検知されたときに提供されていた参考画像に表されている場所に対して、より高い関心度を紐付けてもよい。
【００８１】
また、検知部２０は、ユーザの体温に基づいて関心度を演算してもよい。例えば、検知部２０は、ユーザの体温が上昇したときに提供されていた参考画像に表されている場所に対して、高い関心度を紐付けてもよい。この場合も、心拍数や血圧と同様に、体温が上昇しない場所に対してユーザは高い関心を有していることもある。そこで、検知部２０は、心拍数等と同様に、提供される参考情報に応じて、関心度の判断基準を変更してもよい。
【００８２】
また、検知部２０は、ユーザの身体の動きに基づいて関心度を演算してもよい。例えば、興奮を表す動きが検知された場合、検知部２０は、その動きが検知されたときに提供されていた参考画像に表されている場所に対して、高い関心度を紐付ける。
【００８３】
また、ユーザの属性に応じて、ユーザが興味を有する物事が異なる場合がある。例えば、ユーザが大人である場合と子供である場合とで、ユーザが興味を有する物事が異なることがある。ユーザが大人であれば、竹林にて落ち着き、ユーザが子供であれば、竹林にて落ち着かないこともあり得る。また、ユーザの性別によって、ユーザが興味を有する物事が異なることがある。そこで、検知部２０は、ユーザの属性（年齢や性別等）に応じて、上記の判断基準（具体的には、閾値やその比較基準）を変更してもよい。
【００８４】
上記のようにして、検知部２０は、ユーザに提供された各参考画像に表されている各場所やイベントや場面に対して関心度を紐付ける。例えば、予め定められた時間（例えば３０分から１時間くらい）にわたって、複数の参考画像がユーザに提供され、各参考画像に表されている各場所やイベントや場面に対するユーザの関心度が測定（演算）される。
【００８５】
なお、検知部２０は、時間に応じて関心度に重み付け処理を適用してもよい。例えば、参考画像を見始めたときは、ユーザは疲れていないが、時間が経過するほど、ユーザが疲れて、ユーザの反応が鈍くなる場合がある。そこで、検知部２０は、時間が経過するほど、重み係数を大きくして関心度に重み付け処理を適用してもよい。こうすることで、ユーザの反応が鈍くなった場合も、より適切な関心度を測定することができる。
【００８６】
参考画像を提供する順番によって、ユーザの関心度が変わる場合もあり得る。例えば、参考画像４０，４８等は、静かな印象を与える参考画像であり、参考画像５２等は、賑やかな印象を与える参考画像であり、参考画像５２等は、興奮の印象を与える参考画像である。静かな印象を与える参考画像を提供し、その次に、興奮の印象を与える参考画像を提供する場合と、その順番とは逆に、興奮の印象を与える参考画像を提供し、その次に、静かな印象を与える参考画像を提供する場合とで、ユーザの関心度が変わることがあり得る。そこで、提供部１８は、提供の順番を変えながら、参考画像をユーザに提供してもよい。例えば、提供部１８は、静かな印象を与える参考画像、興奮の印象を与える参考画像の順番で各参考画像を提供し、検知部２０は、そのときのユーザの関心度を測定する。次に、提供部１８は、興奮の印象を与える参考画像、静かな印象を与える参考画像の順番で各参考画像を提供し、検知部２０は、そのときのユーザの関心度を測定する。こうすることで、参考画像の提供順に応じて、どのようにユーザの関心度が変わるのかが分かる。例えば、ユーザの関心度が最も高くなるような順番を決定することができる。
【００８７】
ある順番における関心度が、他の順番における関心度よりも高くなった場合、行動案内作成部２２は、当該順番が反映された行動案内を作成してもよい。例えば、提供部１８が、京都に関する参考情報、長崎に関する参考情報、及び、東京に関する参考情報をユーザに提供したものとする。その場合において、その順番（京都、長崎、東京の順番）に従って各参考情報が提供されたときの関心度（各参考情報が提供されたときのユーザの関心度の合計）が、他の順番（例えば、長崎、京都、東京等の順番）に従って各参考情報が提供されたときの関心度（関心度の合計）よりも高い場合、行動案内作成部２２は、その順番（移動ルート）が反映された行動案内を作成する。つまり、行動案内作成部２２は、京都、長崎、東京の順番で各地方を移動するための移動ルートを演算し、その移動ルートを含む行動案内を作成する。こうすることで、ユーザの興味が反映された移動ルートが、ユーザに提供される。
【００８８】
なお、提供部１８は、複数の参考画像を同時にユーザに提供してもよい。複数の参考画像の組み合わせは、予め定められていてもよいし、ランダムに変更されてもよい。
【００８９】
行動案内作成部２２は、上記のようにして演算された関心度に基づいて行動案内を作成する。例えば、行動案内作成部２２は、関心度が予め定められた閾値以上となった参考情報や、関心度の高さが上位から予め定められた順位以内に入っている参考情報に基づいて、行動案内を作成する。例えば、行動案内作成部２２は、移動ルート、日程等を含む行動案内を作成する。
【００９０】
例えば、図５に示されている参考画像３２と、図８に示されている参考画像４８がユーザに提供されたときに、他の参考画像がユーザに提供されたときよりも高い関心度が得られた場合、行動案内作成部２２は、参考画像３２，４８に基づいて、行動案内を作成する。例えば、行動案内作成部２２は、参考画像３２，４８のそれぞれに紐付けられている付帯情報を参照して、参考画像３２，４８のそれぞれに表されている場所をユーザに案内するための行動案内を作成する。付帯情報には位置情報が含まれているため、行動案内作成部２２は、その位置情報を用いて、移動ルート、日程、移動手段（交通機関（電車、バス、タクシー）、車、徒歩、自転車等）、移動に要する時間、移動に要する費用、等を含む行動案内（観光案内）を作成する。
【００９１】
また、ユーザが旅行の日程を指定している場合、行動案内作成部２２は、その日程を考慮に入れた行動案内を作成する。つまり、行動案内作成部２２は、ユーザが関心を有する場所であって、その日程内に観光しつつ移動することが可能な場所を案内するための行動案内を作成する。
【００９２】
以下、図１０を参照して、行動案内の一例について説明する。図１０には、行動案内画像の一例が示されている。行動案内画像５６は、行動案内情報の一例であり、地図５８と移動ルート６０等を表す画像である。地図５８は、上記の関心度に基づいて決定された場所（旅行先としてユーザに推奨される場所）を表す地図である。移動ルート６０は、ユーザが関心を有すると推測される場所に移動するときのルートである。
【００９３】
図１０に示す例では、ユーザによって日程（例えば、１２月１日〜３日）が指定されている。従って、行動案内作成部２２は、ユーザが関心を有する場所をその日程内で観光するための行動案内（移動ルート６０）を作成する。
【００９４】
例えば、移動ルート６０は、出発点６２、終点６４及び中継点６６，６８を含む。出発点６２は、例えば、図５に示されている参考画像３２に表されている場所、又は、その場所の近傍の場所である。終点６４は、図８に示されている参考画像４８に表されている場所、又は、その場所の近傍の場所である。行動案内作成部２２は、出発点６２と終点６４とを含む場所を、１２月１日〜３日の間で、観光しつつ移動するための移動ルート６０を演算する。その演算において、行動案内作成部２２は、移動手段による移動時間と、観光地にて観光に要する時間（観光時間）とを考慮要素として用いて移動ルート６０を演算する。移動時間や観光時間は、例えば、一般的な平均値が用いられてもよい。また、観光時間は、ユーザによって指定されてもよい。
【００９５】
また、出発点６２と終点６４との間に観光地がある場合、行動案内作成部２２は、その観光地を移動ルート６０に含めてもよい。図１０に示す例では、中継点６６，６８が、そのような観光地として移動ルート６０に含まれている。もちろん、日程に余裕が無い場合には、行動案内作成部２２は、そのような観光地を移動ルート６０に含めなくてもよい。
【００９６】
図１０に示す例では、１２月１日に、出発点６２を観光し、その後、中継点６６に移動し、中継点６６にて宿泊する予定となっている。１２月２日に、中継点６８に移動し、中継点６８にて宿泊する予定となっている。１２月３日に、終点６４に移動する予定となっている。もちろん、ユーザの関心度によっては、出発点と終点とが一致する場合もある。
【００９７】
また、行動案内画像５６には、観光案内に関する情報が表示されてもよい。観光案内として、例えば、場所を示す情報、日程を示す情報、移動手段を示す情報（例えば、電車やバスやタクシーや徒歩等）、移動料金を示す情報、総移動距離を示す情報、観光名所を示す情報、等が表示される。また、地図５８上に、各地点における観光名所に関する情報等が表示されてもよい。
【００９８】
上記のような行動案内画像５６が作成されると、制御部２４は、行動案内画像５６をＵＩ部１４の表示部に表示させる。また、行動案内画像５６は、プリンタによって印刷されてもよいし、記録媒体（例えば、ハードディスクドライブ等のような磁気記録媒体や、ＣＤやＤＶＤ等のような光ディスクや、ＵＳＢメモリ等のメモリ等）に記録されてもよい。印刷物や記録媒体が、ユーザに与えられてもよい。また、関心度が高い参考情報（例えば参考画像３２，４８）が、印刷されたり記録媒体に記録されたりして、ユーザに提供されてもよい。
【００９９】
また、行動案内画像５６において、関心度（例えば関心度に応じた点数）が、各地点に紐付けて表示されてもよい。例えば、出発点６２における関心度を表す点数が、出発点６２の近傍に表示されてもよい。こうすることで、ユーザが、ユーザ自身がどの場所にどの程度の関心を有しているのかを、視覚的に把握することができる。
【０１００】
以上のように、本実施形態によれば、ユーザが関心を有すると推測される行動の案内がユーザに提供される。上記の例では、ユーザが関心を有すると推測される旅行先や、その旅行先における移動ルートが、ユーザに提供される。こうすることで、ユーザ毎の個別の行動案内（例えば旅行プラン等）が作成されてユーザに提供される。
【０１０１】
また、各種の参考情報がユーザに提供されるので、ユーザは、擬似的に行動（例えば旅行）を楽しむことができる。
【０１０２】
また、行動案内作成部２２は、ユーザの日程、行動先の場所、行動先の天気、及び、ユーザの移動手段の中の少なくとも１つの要素に更に基づいて、ユーザの関心度に応じた行動案内を作成してもよい。例えば、ユーザの日程が決定されている場合（図１０に示す例では、１２月１日〜３日）、行動案内作成部２２は、インターネット等の通信経路を利用することで、当該日程中の各地の天気予報を示す情報を取得する。また、大まかな旅行先（行動先）が指定されている場合、行動案内作成部２２は、日程中における当該旅行先の各地の天気予報を示す情報を取得する。図４に示す例では、大まかな旅行先として日本が指定されているため、行動案内作成部２２は、１２月１〜３日における日本の各地の天気予報を示す情報を取得する。また、行動案内作成部２２は、日本の各地における移動手段に関する情報（例えば、電車やバスやタクシーのルートや移動時間や利用料金等を示す情報）を取得する。
【０１０３】
行動案内作成部２２は、ユーザが関心を有する場所であって、天候条件や移動手段の条件が、予め定められた条件に合致する場所を含む行動案内を作成する。予め定められた条件は、例えば、ユーザが希望する条件や、最適であると推測される条件等である。
【０１０４】
例えば、場所毎に適した天候条件（最適であると推測される天候条件）が定められていてもよい。この場合、行動案内作成部２２は、日程中の天気予報に合致する天候条件（最適な天候条件）が紐付けられている場所を含む行動案内を作成してもよい。具体例を挙げて説明すると、ユーザが関心を有する場所として富士山が特定されており、富士山を見るべき日として、晴れの日が最適な天候条件として定められているものとする。この場合、行動案内作成部２２は、日程中に、ユーザが晴れの日に富士山又はその近傍の場所を訪れるように行動案内を作成する。つまり、行動案内作成部２２は、日程中の晴れの予測日を、ユーザが富士山又はその近傍の場所を訪れるべき日として決定する。また、行動案内作成部２２は、日程中の天気の予測が晴れの場合、晴れの日に適した場所を含む行動案内を作成してもよいし、日程中の天気の予測が雨の場合、雨の日に適した場所を含む行動案内を作成してもよい。また、ユーザが、当該ユーザが希望する天候が予測される日に、当該ユーザが関心を有する場所に訪れることを希望している場合、行動案内作成部２２は、その天候が予測される日を、その場所を訪れる日として決定してもよい。例えば、ユーザが、雨の日に、富士山又はその近傍の場所を訪れることを希望している場合、行動案内作成部２２は、雨が降ると予測されている日を、その場所を訪れる日として決定する。
【０１０５】
また、行動案内作成部２２は、ユーザが希望している移動手段によって移動可能なルートや場所を含む行動案内を作成してもよい。例えば、ユーザが電車による移動を希望している場合、行動案内作成部２２は、電車によって移動可能なルートや場所を含む行動案内を作成する。
【０１０６】
ユーザは、ＵＩ部１４を用いて、当該ユーザが希望する条件（例えば天候条件や移動手段の条件）を行動案内提供装置１０に入力することができる。
【０１０７】
また、予算が定められている場合、行動案内作成部２２は、更に、その予算内で行動することが可能な行動案内を作成してもよい。予算には、例えば、電車やバスやタクシー等の移動手段に要する費用や宿泊費等が含まれる。予算は、例えば、ユーザによって指定される。また、複数の予算が定められている場合、行動案内作成部２２は、予算毎の行動案内を作成してもよい。
【０１０８】
なお、制御部２４は、各ユーザの関心度の履歴を管理してもよい。例えば、制御部２４は、各ユーザの関心度を集計し、関心度に基づいて、旅行先やイベント等についてのランキングを演算してもよい。制御部２４は、そのランキングをＵＩ部１４の表示部に表示させてもよい。こうすることで、ユーザは、他のユーザが関心を有していると推測される旅行先やイベント等を認識することができ、そのランキングを、旅行先等を決定する際の判断材料として用いることができる。
【０１０９】
なお、関心度を測定している場所の周囲の環境（例えば、騒音や温度や湿度等）によって、ユーザの関心度が変動することもあり得る。これに対処するために、例えば、騒音が遮断された部屋内や、温度や湿度が予め定められた値に管理されている部屋内等にて、関心度が測定されてもよい。
【０１１０】
以下、変形例について説明する。
【０１１１】
＜変形例１＞
変形例１について説明する。変形例１では、提供部１８は、興味情報及び非興味情報の中の少なくとも１つの情報を、参考情報としてユーザに提供する。興味情報は、ユーザが興味を有する情報として予め定められた参考情報である。非興味情報は、興味情報以外の参考情報である。
【０１１２】
図４に示す例では、大まかな旅行先として日本が指定されているため、ユーザは、日本に興味を有しているものと推測される。従って、興味情報は、日本に関する参考情報であり、非興味情報は、日本以外の国に関する参考情報である。
【０１１３】
ユーザ自身が興味を有していないと考えている旅行先や物事であっても、実際は、ユーザが興味を示す場合がある。非興味情報をユーザに提供することで、実際はユーザが興味を示す旅行先や物事を検知することができ、そのような旅行先や物事を含む行動案内を作成することができる。例えば、ユーザが旅行先として東京を指定している場合、提供部１８は、東京以外の地方に関する参考情報（例えば京都に関する参考情報）を非興味情報としてユーザに提供する。そして、ユーザが京都に対して興味を示していることが検知された場合、行動案内作成部２２は、京都を行動先として含む行動案内を作成する。
【０１１４】
また、興味情報をユーザに提供することで、ユーザが指定した旅行先や物事に対して、実際にユーザが興味を有しているか否かを確認することができる。例えば、ユーザが旅行先として東京を指定している場合、提供部１８は、東京に関する参考情報を興味情報としてユーザに提供する。そして、ユーザが東京に対して興味を示していることが検知された場合、行動案内作成部２２、東京を行動先として含む行動案内を作成する。一方、ユーザが東京に対して興味を示していることが検知されなかった場合、行動案内作成部２２は、東京を行動先として含まない行動案内を作成する。
【０１１５】
提供部１８は、興味情報と非興味情報とを切り替えながらユーザに提供してもよい。例えば、提供部１８は、１又は複数の興味情報と１又は複数の非興味情報とを交互にユーザに提供してもよいし、１又は複数の興味情報（又は非興味情報）の提供が終了した後、１又は複数の非興味情報（又は興味情報）を提供してもよい。
【０１１６】
また、提供部１８は、ユーザの関心度に応じて、ユーザに提供する情報を変えてもよい。例えば、提供部１８が興味情報をユーザに提供しているときの関心度が閾値未満になる場合、提供部１８は、非興味情報をユーザに提供してもよい。同様に、提供部１８が非興味情報をユーザに提供しているときの関心度が閾値未満となる場合、提供部１８は、興味情報をユーザに提供してもよい。
【０１１７】
＜変形例２＞
変形例２について説明する。変形例２では、ユーザが行動案内に従って行動している間、検知部２０は、当該ユーザの関心度を測定する。行動案内作成部２２は、行動中のユーザの関心度に応じて、当該行動案内を維持してもよいし、別の行動案内をユーザに提供してもよい。例えば、ユーザの関心度が低下した場合や、予め定められた閾値以下になった場合、行動案内作成部２２は、別の行動案内を提供する。別の行動案内は、ユーザの関心度に基づいて予め作成された案内であってもよいし、行動中の関心度に応じて新たに作成された行動案内であってもよい。例えば、複数の行動案内が予め作成されて、ユーザが、当該複数の行動案内の中の１つの行動案内に従って行動している場合、行動案内作成部２２は、当該複数の行動案内の中の別の行動案内をユーザに提供してもよい。なお、行動案内提供装置１０が携帯型端末装置によって構成されている場合、ユーザの行動中に関心度を測定することができる。また、行動案内提供装置１０自体が携帯端末装置によって構成されていない場合であっても、検知部２０が、携帯型の装置によって構成されている場合、ユーザの行動中に関心度が測定される。その測定結果は、インターネット等の通信経路を介して、行動案内提供装置１０に提供され、その行動案内提供装置１０によって別の行動案内が作成される。その別の行動案内を示す情報は、インターネット等の通信経路を介して、行動案内提供装置１０から、ユーザの端末装置（例えば、スマートフォンやタブレットＰＣや携帯電話等）に送信され、その端末装置に表示される。なお、検知部２０は、端末装置に組み込まれていてもよい。
【０１１８】
変形例２によれば、行動中のユーザの関心度に応じた行動案内が、ユーザに提供される。
【０１１９】
＜変形例３＞
変形例３について説明する。変形例３では、検知部２０は、参考情報が提供された複数のユーザの関心度を測定する。行動案内作成部２２は、当該複数のユーザの関心度に応じた行動案内を作成する。提供部１８は、複数のユーザに同一の参考情報を同時に提供してもよいし、各ユーザに同一の参考情報を別々のタイミングで提供してもよい。
【０１２０】
例えば、検知部２０は、提供された参考情報毎に、複数のユーザの関心度の平均値を演算する。行動案内作成部２２は、関心度の平均値が予め定められた閾値以上となったときに提供されていた参考情報に基づいて行動案内（例えば、その参考情報が示す場所を含む行動案内）を作成してもよいし、関心度の平均値が最も高くなったときに提供されていた参考情報に基づいて行動案内を作成してもよい。
【０１２１】
例えば、参考情報α，β，γが、ユーザＡ，Ｂ，Ｃに提供された場合、検知部２０は、参考情報αが提供されたときのユーザＡ，Ｂ，Ｃの関心度の平均値、参考情報βが提供されたときのユーザＡ，Ｂ，Ｃの関心度の平均値、及び、参考情報γが提供されたときのユーザＡ，Ｂ，Ｃの関心度の平均値を演算する。参考情報α，βが提供されていたときのユーザＡ，Ｂ，Ｃの関心度の平均値が閾値以上となる場合、行動案内作成部２２は、参考情報α，βに基づいて行動案内（例えば、参考情報α，βがそれぞれ示す場所を含む行動案内）を作成する。別の例として、参考情報αが提供されていたときのユーザＡ，Ｂ，Ｃの関心度の平均値が最も高くなる場合、行動案内作成部２２は、参考情報αに基づいて行動案内を作成してもよい。
【０１２２】
変形例３によれば、複数のユーザが共通して関心を有する行動案内を、ユーザに提供することができる。変形例３は、例えば、家族旅行や卒業旅行等の団体旅行に応用されてもよい。
【０１２３】
また、検知部２０は、各ユーザの関心度に対して、ユーザの属性に応じた重み付け処理を適用してもよい。例えば、検知部２０は、複数のユーザの中の特定ユーザについての重み係数として、他のユーザについての重み係数よりも大きい係数を用いて、各ユーザの関心度に対して重み付け処理を適用する。例えば、他のユーザについての重み係数の数倍（例えば３倍等）程度の重み係数が、特定ユーザについての重み係数として用いられる。こうすることで、重み付け処理を行わない場合と比べて、特定ユーザの関心度がより強く全員の関心度（例えば関心度の平均値）に反映されるので、特定ユーザが関心を有すると推測される行動案内が提供される可能性が高くなる。特定ユーザは、例えば、ユーザによって指定される。例えば、複数のユーザの中で重要視されるユーザが、特定ユーザとして指定されることが考えられる。
【０１２４】
＜変形例４＞
変形例４について説明する。変形例４では、変形例３と同様に、複数のユーザに参考情報が提供される。
【０１２５】
検知部２０は、各ユーザの個別の関心度を測定する。上記の例で説明すると、検知部２０は、参考情報αが提供されたときのユーザＡ，Ｂ，Ｃのそれぞれの関心度を演算し、参考情報βが提供されたときのユーザＡ，Ｂ，Ｃのそれぞれの関心度を演算し、参考情報γが提供されたときのユーザＡ，Ｂ，Ｃのそれぞれの関心度を演算する。
【０１２６】
行動案内作成部２２は、各ユーザの関心度に応じて、上記複数のユーザをグループ分けし、グループ毎の行動案内を作成する。例えば、行動案内作成部２２は、同じ関心を有する複数のユーザを同一のグループにまとめる。より詳しく説明すると、行動案内作成部２２は、同一の参考情報に対して閾値以上の関心度を有する複数のユーザを、同一のグループに属するユーザとして識別し、グループ毎に行動案内を作成する。行動案内作成部２２は、関心度が閾値以上となる参考情報が互いに完全に一致する複数のユーザを、同一のグループに属するユーザとして識別してもよいし、関心度が閾値以上となる参考情報が互いに部分的に重複する複数のユーザを、同一のグループに属するユーザとして識別してもよい。
【０１２７】
具体例を挙げて説明する。参考情報α，βが提供されたときに、ユーザＡ，Ｂの関心度が閾値以上となり、ユーザＣの関心度が閾値未満となり、参考情報γが提供されたときに、ユーザＡ，Ｂの関心度が閾値未満となり、ユーザＣの関心度が閾値以上となった場合、行動案内作成部２２は、ユーザＡ，Ｂを同一のグループに属するユーザとして識別する。つまり、ユーザＡ，Ｂは、関心度が閾値以上となる参考情報（参考情報α，β）が互いに完全に一致するユーザに該当するため、ユーザＡ，Ｂは、同一のグループに属するユーザとして識別される。この場合、行動案内作成部２２は、参考情報α，βに基づいて、ユーザＡ，Ｂ用の行動案内を作成し、参考情報γに基づいて、ユーザＣ用の行動案内を作成する。
【０１２８】
また、参考情報αが提供されたときに、ユーザＡの関心度が閾値以上となり、ユーザＢ，Ｃの関心度が閾値未満となり、参考情報βが提供されたときに、ユーザＡ，Ｂの関心度が閾値以上となり、ユーザＣの関心度が閾値未満となり、参考情報γが提供されたときに、ユーザＣの関心度が閾値以上となり、ユーザＡ，Ｂの関心度が閾値未満となったものとする。この場合、行動案内作成部２２は、ユーザＡ，Ｂを同一のグループに属するユーザとして識別してもよい。つまり、ユーザＡ，Ｂは、関心度が閾値以上となる参考情報（参考情報β）が互いに部分的に一致するユーザに該当するため、ユーザＡ，Ｂは、同一のグループに属するユーザとして識別される。この場合、行動案内作成部２２は、参考情報βに基づいて、ユーザＡ，Ｂ用の行動案内を作成する。また、行動案内作成部２２は、別途、参考情報α，βに基づいて、ユーザＡ用の行動案内を作成してもよい。また、行動案内作成部２２は、参考情報γに基づいて、ユーザＣ用の行動案内を作成する。
【０１２９】
変形例４によれば、同じ関心を有する複数のユーザが属するグループに対して、行動案内が提供される。こうすることで、例えば、同じ関心を有する複数のユーザが共に行動するための案内が提供される。
【０１３０】
＜変形例５＞
変形例５に付いて説明する。変形例５では、変形例３と同様に、複数のユーザに参考情報が提供される。
【０１３１】
行動案内作成部２２は、ユーザ毎の関心度に基づいて、ユーザ毎の個別の行動案内を作成する。例えば、参考情報αが提供されたときに、ユーザＡの関心度が閾値以上となり、ユーザＢ，Ｃの関心度が閾値未満となり、参考情報βが提供されたときに、ユーザＢの関心度が閾値以上となり、ユーザＡ，Ｃの関心度が閾値未満となり、参考情報γが提供されたときに、ユーザＣの関心度が閾値以上となり、ユーザＡ，Ｂの関心度が閾値未満となったものとする。この場合、行動案内作成部２２は、参考情報αに基づいてユーザＡ用の行動案内を作成し、参考情報βに基づいてユーザＢ用の行動案内を作成し、参考情報γに基づいてユーザＣ用の行動案内を作成する。
【０１３２】
また、行動案内作成部２２は、複数のユーザが集合（合流）する予定の地点を、各ユーザ用の行動案内に含めてもよい。例えば、行動案内作成部２２は、各ユーザの行動案内が示す移動ルートが互いに交差する場所を、集合予定地点として定め、その集合予定地点を含む各ユーザの行動案内を作成する。
【０１３３】
以下、図１１を参照して、各ユーザ用の行動案内の一例について説明する。図１１には、行動案内画像の一例が示されている。行動案内画像７０は、行動案内情報の一例であり、地図７２と移動ルート７４，７６，７８等を表す画像である。地図７２は、各ユーザの関心度に基づいて決定された場所（旅行先としてユーザに推奨される場所）を表す地図である。移動ルート７４は、ユーザＡ用の行動案内の一例であり、ユーザＡが関心を有すると推測される場所に移動するときのルートである。移動ルート７６は、ユーザＢ用の行動案内の一例であり、ユーザＢが関心を有すると推測される場所に移動するときのルートである。移動ルート７８は、ユーザＣ用の移動案内の一例であり、ユーザＣが関心を有すると推測される場所に移動するときのルートである。
【０１３４】
図１１に示す例では、ユーザＡ，Ｂ，Ｃによって日程（例えば、１２月１日〜３日）が指定されている。従って、行動案内作成部２２は、ユーザＡ，Ｂ，Ｃのそれぞれが関心を有する場所をその日程内で観光するための行動案内（移動ルート７４，７６，７８）を作成する。
【０１３５】
例えば、移動ルート７４は、出発点８０と終点８２を含む。出発点８０と終点８２は、ユーザＡに提供された参考情報に基づいて決定された場所である。行動案内作成部２２は、出発点８０と終点８２とを含む場所を、１２月１日〜３日の間で、観光しつつ移動するための移動ルート７４を演算する。その演算において、行動案内作成部２２は、移動手段による移動時間と、観光地にて観光に要する時間（観光時間）とを考慮要素として用いて移動ルート７４を演算する。また、出発点８０と終点８２との間に観光地がある場合、行動案内作成部２２は、その観光地を移動ルート７４に含めてもよい。
【０１３６】
また、移動ルート７６は、出発点８０と終点８４を含む。出発点８０と終点８４は、ユーザＢに提供された参考情報に基づいて決定された場所である。行動案内作成部２２は、出発点８０と終点８４とを含む場所を、１２月１日〜３日の間で、観光しつつ移動するための移動ルート７６を演算する。その演算において、行動案内作成部２２は、移動手段による移動時間と、観光地にて観光に要する時間（観光時間）とを考慮要素として用いて移動ルート７６を演算する。また、出発点８０と終点８４との間に観光地がある場合、行動案内作成部２２は、その観光地を移動ルート７６に含めてもよい。
【０１３７】
また、移動ルート７８は、出発点８６と終点８８を含む。出発点８６と終点８８は、ユーザＣに提供された参考情報に基づいて決定された場所である。行動案内作成部２２は、出発点８６と終点８８とを含む場所を、１２月１日〜３日の間で、観光しつつ移動するための移動ルート７８を演算する。その演算において、行動案内作成部２２は、移動手段による移動時間と、観光地にて観光に要する時間（観光時間）とを考慮要素として用いて移動ルート７８を演算する。また、出発点８６と終点８８との間に観光地がある場合、行動案内作成部２２は、その観光地を移動ルート７８に含めてもよい。
【０１３８】
また、ユーザＡ，Ｂ，Ｃが集合（合流）する予定の地点（集合地点９０）が定められている。集合地点９０は、例えば、移動ルート７４，７６，７８が交差する場所である。
【０１３９】
図１１に示す例では、ユーザＡは、１２月１日に、出発点８０を観光し、出発点８０にて宿泊する予定となっている。また、ユーザＡは、１２月２日に、集合地点９０に移動し、集合地点９０にて宿泊する予定となっている。また、ユーザＡは、１２月３日に、終点８２に移動する予定となっている。
【０１４０】
ユーザＢは、１２月１日に、出発点８０を観光し、出発点８０にて宿泊する予定となっている。また、ユーザＢは、１２月２日に、集合地点９０に移動し、集合地点９０にて宿泊する予定となっている。また、ユーザＢは、１２月３日に、終点８４に移動する予定となっている。なお、ユーザＡ，Ｂの関心度に応じて、出発点８０から集合地点９０までのルートが、ユーザＡ，Ｂとの間で互いに同一になる場合もあれば、互いに異なる場合もある。
【０１４１】
ユーザＣは、１２月１日に、出発点８６を観光し、出発点８６にて宿泊する予定となっている。また、ユーザＣは、１２月２日に、集合地点９０に移動し、集合地点９０にて宿泊する予定となっている。また、ユーザＣは、１２月３日に、終点８８に移動する予定となっている。
【０１４２】
なお、ユーザＡ，Ｂ，Ｃの関心度に応じて、各ユーザの出発点が互いに同一になる場合もあれば、互いに異なる場合もある。終点についても同様である。また、出発点と終点とが一致する場合もある。
【０１４３】
図１０に示す例と同様に、行動案内画像７０には、観光案内に関する情報が表示されてもよい。集合場所や集合日を示す情報が、観光案内に関する情報に含まれてもよい。
【０１４４】
図１０に示す例と同様に、行動案内画像７０は、表示部に表示されてもよいし、プリンタによって印刷されてもよいし、記録媒体に記録されてもよい。
【０１４５】
なお、図１１に示す例では、複数のユーザの移動ルートが同一の行動案内画像７０に表されているが、ユーザ毎の行動案内画像が作成されてもよい。ユーザ毎の行動案内画像には、例えば、自身の移動ルートと集合地点が表されて、他のユーザの移動ルートは表されなくてもよい。例えば、ユーザＡ用の行動案内画像には、ユーザＡ用の移動ルート７４と集合地点９０が表され、ユーザＢ，Ｃ用の移動ルート７６，７８は表されない。ユーザＢ，Ｃ用の行動案内画像についても同様である。
【０１４６】
変形例５によれば、各ユーザ用の行動案内が提供されると共に、集合予定の地点が示される。それ故、各ユーザの関心度の測定結果によって、各ユーザがそれぞれ単独で行動することになった場合であっても、複数のユーザが集合することができる地点が提供される。
【０１４７】
変形例４，５を組み合わせてもよい。つまり、行動案内作成部２２は、グループ毎の行動案内に、各グループの集合予定地点を含めてもよい。
【０１４８】
行動案内作成部２２は、上記以外の方法によって、集合地点を定めてもよい。例えば、行動案内作成部２２は、集合地点を含みつつ、各ユーザの関心度がより高くなる各ユーザ用の移動ルートを探索してもよい。
【０１４９】
別の例として、行動案内作成部２２は、集合地点を含みつつ、全ユーザの関心度の合計がより高くなる各ユーザ用の移動ルートを探索してもよい。
【０１５０】
更に別の例として、行動案内作成部２２は、ユーザが重要視する要素に更に基づいて、集合地点を含む各ユーザ用の移動ルートを探索してもよい。重要要素は、例えばユーザによって指定される。なお、重要要素は、予め定められていてもよい。
【０１５１】
例えば、移動料金が重要要素として指定された場合、行動案内作成部２２は、旅行に参加する全ユーザの移動料金の合計がより安くなる地点を集合地点として定め、その集合地点を含む各ユーザ用の移動ルートを探索する。例えば、行動案内作成部２２は、ユーザ毎に、ユーザが仮の集合地点に移動する前に滞在していた場所から当該仮の集合地点までの移動に要する料金を演算し、全ユーザの移動料金の合計が最も安くなる地点を集合地点として定める。具体的には、行動案内作成部２２は、利用料金がより高い移動手段（例えばタクシー等）を使用しなくても、利用料金がより安い移動手段（例えば電車やバス）を使用して移動可能な地点を、集合地点として定め、その集合地点を含む各ユーザ用の移動ルートを探索してもよい。
【０１５２】
また、移動時間が重要要素として指定された場合、行動案内作成部２２は、旅行に参加する全ユーザの移動時間の合計がより短くなる地点を集合地点として定め、その集合地点を含む各ユーザ用の移動ルートを探索する。例えば、行動案内作成部２２は、ユーザ毎に、ユーザが仮の集合地点に移動する前に滞在していた場所から当該仮の集合地点までの移動に要する時間を演算し、全ユーザの移動時間の合計が最短となる地点を集合地点として定める。
【０１５３】
また、移動距離が重要要素として指定された場合、行動案内作成部２２は、旅行に参加する全ユーザの移動距離の合計がより短くなる地点を集合地点として定め、その集合地点を含む各ユーザ用の移動ルートを探索する。例えば、行動案内作成部２２は、ユーザ毎に、ユーザが仮の集合地点に移動する前に滞在していた場所から当該仮の集合地点までの移動距離を演算し、全ユーザの移動距離の合計が最短となる地点を集合地点として定める。
【０１５４】
＜その他の実施形態＞
本実施形態に係る行動案内提供装置１０は、旅行案内以外の行動案内を提供してもよい。例えば、行動案内提供装置１０は、不動産分野において用いられてもよい。具体的には、提供部１８は、販売用や賃貸用の物件（例えば部屋の内部）を表す参考画像（例えば３次元画像やＶＲ画像やＡＲ画像等）や、その他の参考情報（例えば騒音、日当り、外の景色（例えば、見晴らしや花火等）、窓越しに見える景色、気温等の情報）をユーザに提供する。検知部２０は、参考情報が提供されたユーザの関心度を測定し、ユーザが関心を有すると推定される物件を特定する。行動案内作成部２２は、そのような物件をユーザに案内するための情報を作成する。その情報は、ＵＩ部１４の表示部に表示されてもよいし、プリンタによって印刷されてもよいし、記録媒体に記録されてもよい。
【０１５５】
不動産分野に行動案内提供装置１０が用いられることで、ユーザが実際に物件を見に行かなくても、ユーザが関心を有すると推測される物件が特定される。また、実際に物件が建設されていない段階であっても、ユーザが関心を有すると推測される物件を特定することができる。
【０１５６】
別の例として、行動案内提供装置１０は、建築分野において用いられてもよい。具体的には、提供部１８は、建築の各段階における参考情報をユーザに提供する。また、提供部１８は、各段階において、建物に使用される材料や部材等に関する情報をユーザに提供してもよい。例えば、提供部１８は、建物の内装を表す参考画像を表示部に表示させると共に、壁紙等に関する情報を表示部に表示させてもよい。ユーザが壁紙を選択した場合、提供部１８は、ユーザによって選択された壁紙が反映された内装を表す参考画像を表示部に表示させる。検知部２０は、参考情報が提供されているときのユーザの関心度を測定する。こうすることで、例えば、ユーザが好みのデザインを有する壁紙等が特定される。行動案内作成部２２は、ユーザが関心を有すると推測される材料や部材や完成後の建物の様子等に関する情報を作成する。その情報は、ＵＩ部１４の表示部に表示されてもよいし、プリンタによって印刷されてもよいし、記録媒体に記録されてもよい。
【０１５７】
また、提供部１８は、実際に建築中の建物をカメラによって撮影することで生成された参考画像を表示部に表示させ、ＡＲ技術を適用することで、その参考画像に表されている建築中の建物の壁（又は壁が作成される予定の箇所）に、ユーザによって選択された壁紙の画像を重ねて表示部に表示させてもよい。こうすることで、ユーザは、実際の建物に壁紙が用いられた状態を確認しながら、壁紙を選択することができる。他の材料や部材についても同様である。
【０１５８】
建築分野に行動案内提供装置１０が用いられることで、ユーザは、建築の各段階にて、材料や部材等が実際の建物に使用された状態を確認しながら、材料や部材等を選択することができる。
【０１５９】
更に別の例として、行動案内提供装置１０は、インターネット広告に用いられてもよい。例えば、検知部２０は、広告が表示されたときのユーザの関心度を測定する。制御部２４は、その関心度に応じて、広告の表示又は非表示を切り替える。例えば、関心度が高い広告は表示され、関心度が低い広告は表示されない。
【０１６０】
更に別の例として、行動案内提供装置１０は、医療分野に用いられてもよい。例えば、提供部１８は、医師や研修医や医学生等が手術を擬似的に経験するためのシミュレーションを実行する。提供部１８は、例えば、手術の各段階における人体や臓器等を表すＶＲ画像やＡＲ画像を表示部に表示させる。検知部２０は、各画像が表示されたときのユーザの関心度を測定する。例えば、心拍数や血圧等が測定され、行動案内作成部２２は、その測定値に基づいて、ユーザに適している診療科（例えば外科、心臓外科、脳外科、内科等）を決定し、その診療科をユーザに提供してもよい。また、提供部１８は、実際の手術が行われているときに、その手術の様子が表されたＡＲ画像を表示部に表示させてもよい。
【０１６１】
医療分野に行動案内提供装置１０が用いられることで、ユーザは、手術を擬似的に経験することができる。また、ユーザに適していると推測される診療科に関する情報が、ユーザに提供される。
【０１６２】
行動案内提供装置１０は、上記以外の分野に用いられてもよい。この場合も、その分野においてユーザが実行すべき行動やユーザの好みに合致する行動等が、ユーザに対して案内される。
【０１６３】
上記の行動案内提供装置１０は、一例としてハードウェアとソフトウェアとの協働により実現される。具体的には、行動案内提供装置１０は、図示しないＣＰＵ等の１又は複数のプロセッサを備えている。当該１又は複数のプロセッサが、図示しない記憶装置に記憶されたプログラムを読み出して実行することにより、行動案内提供装置１０の各部の機能が実現される。上記プログラムは、ＣＤやＤＶＤ等の記録媒体を経由して、又は、ネットワーク等の通信経路を経由して、記憶装置に記憶される。別の例として、行動案内提供装置１０の各部は、例えばプロセッサや電子回路やＡＳＩＣ（Application Specific Integrated Circuit）等のハードウェア資源により実現されてもよい。その実現においてメモリ等のデバイスが利用されてもよい。更に別の例として、行動案内提供装置１０の各部は、ＤＳＰ（Digital Signal Processor）やＦＰＧＡ（Field Programmable Gate Array）等によって実現されてもよい。
【符号の説明】
【０１６４】
１０  行動案内提供装置、１８  提供部、２０  検知部、２２  行動案内作成部、２４  制御部。
【図１】
2019109739.tif 000003
【図２】
2019109739.tif 000004
【図３】
2019109739.tif 000005
【図４】
2019109739.tif 000006
【図５】
2019109739.tif 000007
【図６】
2019109739.tif 000008
【図７】
2019109739.tif 000009
【図８】
2019109739.tif 000010
【図９】
2019109739.tif 000011
【図１０】
2019109739.tif 000012
【図１１】
2019109739.tif 000013